(57)【要約】【課題】  小型かつ低廉であって、セルフタイマ撮影時に撮影中である旨を表わす音とシャッタが切られたことに対応する音を撮影者に確実に聞かせることができるカメラを提供すること。【解決手段】  カメラボディ前後にスピーカ１ｂ，１ｃを２つ設け、モード切替スイッチ１１によりセルフタイマ撮影が選択されたら、フロントスピーカ１ｂから撮影中である旨を表わす音とシャッタが切られたことに対応する音を発生させる。それ以外においてはリアスピーカから操作音などを発生させる。【選択図】        図１
2005062539.tif 000002
【特許請求の範囲】
【請求項１】
セルフタイマモードを含む複数の撮影モードの中から所望の撮影モードを選択して選択した撮影モードによる撮影を行なうカメラにおいて、
このカメラの前面を向いた第１のスピーカを含む複数のスピーカと、
前記複数のスピーカのうちのいずれかのスピーカを撮影モードに応じて選択するスピーカ選択手段であって、セルフタイマモードにおいては前記複数のスピーカのうちの前記第１のスピーカを選択するスピーカ選択手段と、
前記スピーカ選択手段で選択されたスピーカから音を発生させる音発生手段であって、セルフタイマモードにおける撮影操作後は、前記第１のスピーカからセルフタイマモードによる撮影中である旨を表わす音を発生させる音発生手段とを備えたことを特徴とするカメラ。
【請求項２】
前記音発生手段は、セルフタイマモードにおける撮影操作後に前記第１のスピーカからセルフタイマモードによる撮影中である旨を表わす音を発生させるとともに、シャッタが切られたタイミングで該第１のスピーカからシャッタが切られたことに対応する音を発生させるものであることを特徴とする請求項１記載のカメラ。
【発明の詳細な説明】
【技術分野】
【０００１】
本発明は、セルフタイマモードを含む複数の撮影モードの中から所望の撮影モードを選択して選択した撮影モードによる撮影を行なうカメラに関する。
【背景技術】
【０００２】
カメラには、セルフタイマモードを含む複数の撮影モードの中から所望の撮影モードを選択して選択した撮影モードによる撮影を行なうものがある。デジタルカメラにおいてはこのような撮影モードの中に動画撮影モードを備えたものもある。この動画撮影モードで動画の撮影を行なうときにはマイクによって音声の収録も行なえて、この動画の撮影記録を再生すれば動きのある画像に加え音声も一緒に楽しめる。
【０００３】
この再生画像はカメラボディ背面側にある表示パネルに再生表示されるため、スピーカもカメラ背面に配置されることが多い。しかしスピーカから発せられる音声は再生画像が表示されているときだけとは限らず、セルフタイマモード時に撮影中である旨を表わす音やシャッタが切れたことに対応する音や操作子が操作されたことを表わす操作音などもある。特にセルフタイマ撮影を行なう場合には、撮影者はデジタルカメラの正面に位置するため、動画再生用に背面側にスピーカを設けてしまうと、セルフタイマモード時の撮影中である旨を表わす音やシャッタが切られたことに対応する音が聞き取り難くなるという問題がある。
【０００４】
そこで撮影レンズ部を回動自在にして、セルフタイマ撮影時には撮影レンズ部を背面側に回転させる機構を設け、背面側にあるスピーカにより撮影中である旨を表わす音やシャッタが切られたことに対応する音を撮影者に確実に聞かせるものがある（例えば、特許文献１参照。）。この特許文献１のものでは、さらに工夫を凝らしてセルフタイマ撮影中にスピーカから発生される音を、楽曲を含むいろいろな音声に変更することを可能にしている。
【０００５】
しかしながら、デジタルカメラに回転機構を設けるとカメラ内部の機構が複雑になり、小型化の障害になるとともにコスト高になるという問題がある。
【特許文献１】特開平１１−１５３８１８号公報
【発明の開示】
【発明が解決しようとする課題】
【０００６】
本発明は上記問題点を解決し、小型かつ低廉であって、セルフタイマ撮影時に撮影中である旨を表わす音を撮影者に確実に聞かせることができるカメラを提供することを目的とするものである。
【課題を解決するための手段】
【０００７】
本発明のカメラは、セルフタイマモードを含む複数の撮影モードの中から所望の撮影モードを選択して選択した撮影モードによる撮影を行なうカメラにおいて、
このカメラの前面を向いた第１のスピーカを含む複数のスピーカと、
上記複数のスピーカのうちのいずれかのスピーカを撮影モードに応じて選択するスピーカ選択手段であって、セルフタイマモードにおいては上記複数のスピーカのうちの上記第１のスピーカを選択するスピーカ選択手段と、
上記スピーカ選択手段で選択されたスピーカから音を発生させる音発生手段であって、セルフタイマモードにおける撮影操作後は、上記第１のスピーカからセルフタイマモードによる撮影中である旨を表わす音を発生させる音発生手段とを備えたことを特徴とする。
【０００８】
上記本発明のカメラよれば、セルフタイマ撮影モードに応じて上記スピーカ選択手段によりカメラ前面を向いた第１のスピーカが選択され、上記音発生手段によりセルフタイマモードによる撮影中である旨を表わす音が発生される。また、それ以外の撮影モードにおいては、上記複数のスピーカのうちいずれかを選択して音声を発生させ、操作音を発生させる場合においては、その複数のスピーカのうちいずれかを適宜選択して音声を発生させることができる。
【０００９】
このようにセルフタイマ撮影時にはカメラ前面に位置する撮影者に撮影中である旨を表わす音が上記前面に向いた第１のスピーカから確実に伝えられ、それ以外の撮影モードの場合には適宜複数のスピーカの中からいずれかが選択されて音声が聞き取りやすいようにいずれかのスピーカから撮影者に向けて音声が発生される。
【００１０】
いままでのように、内部に回転機構を設ける訳ではなく、小型のスピーカを複数配置して、それらスピーカのうちいずれかを選択する上記スピーカ選択手段を回路的に付加すれば良いので、小型化を図れる。また、小型のスピーカは安価なものが多く、それらを選択するスピーカ選択手段は、たとえばＣＰＵを動作させるための処理手順であるプログラムを若干変更し、さらに音声制御部に切替部を設けるという簡単な構成で実現可能なので、いままでのように回転機構を設けるよりははるかに低廉なものになる。
【００１１】
ここで、上記音発生手段は、セルフタイマモードにおける撮影操作後に上記第１のスピーカからセルフタイマモードによる撮影中である旨を表わす音を発生させるとともに、シャッタが切られたタイミングでその第１のスピーカからシャッタが切られたことに対応する音を発生させるものであることが好ましい。
【００１２】
そうすると被写体でもある撮影者にシャッタが切れるタイミングを確実に聞かせることができる。
【発明の効果】
【００１３】
本発明のデジタルカメラによれば、小型かつ低廉であって、セルフタイマ撮影時にセルフタイマ秒を告げる音を撮影者に確実に聞かせることができる。
【発明を実施するための最良の形態】
【００１４】
以下図面を参照して本発明の実施の形態を説明する。
【００１５】
ここでは機器の一例としてデジタルカメラを掲げて以下その構成を説明する。
【００１６】
図１は本発明の実施形態を示すデジタルカメラの正面図、側面部、上面図である。
【００１７】
図１に示すようにカメラボディ１ａの前方には撮影レンズ１０が配備されている。その撮影レンズ１０を前方側としてこのカメラボディ１ａの背面側には画像表示回路１２０の表示パネル１２１１とスイッチ群１３０が配備されている。このスイッチ群１３０の中には、撮影・再生モード切替レバー１３１やポップアップフラッシュ１４をポップアップさせるポップアップスイッチ１３２や８方向キー１３３などがある。またカメラボディ上部にはモード切替スイッチ１１が設けられており、このモード切替スイッチ１１の操作により、セルフタイマー撮影、マクロ撮影、静止画撮影、動画撮影と４つの撮影が楽しめるようになっている。
【００１８】
スイッチ群１３０の中の撮影・再生モード切替レバー１３１が撮影側に切り換えられるとスルー画像が表示装置１２０の表示画面１２１１上に表示される。このスルー画像が表示画面１２１１に表示されているときにモード切替スイッチ１１の中央にあるレリーズ釦１２が押されると、そのレリーズ釦が押されたときのスルー画像に対応する、撮影レンズ１０で捉えた被写体光に基づく画像がこのデジタルカメラ内部の記録用のメモリに記録される。さらに撮影・再生モード切替レバー１３１が再生側に切り換えられると、記録用メモリに記録されている画像データに基づく画像が再生され、表示装置１２０の表示画面１２１１に既撮影画像が表示される。また、撮影モードにおいて、モード切替スイッチ１１が動画撮影モードに切り替えられると、動画像を表わす画像データとともに、マイク（図示せず）により収録された音声データも記録用メモリに記録される。
【００１９】
また、このデジタルカメラ１には、このデジタルカメラ１の前面を向いた第１のスピーカ１ｂを含む複数のスピーカが備えられており、撮影モードに応じてそれらのスピーカが適宜選択され、音声が発生される。ここではカメラ前面にセルフタイマ撮影用のフロントスピーカ１ｂが、カメラ背面に再生モード用のリアスピーカ１ｃがそれぞれ設けられている。
【００２０】
例えばモード切替スイッチ１１の操作によりセルフタイマ撮影モードが選択され、撮影が行なわれるときには、前面のフロントスピーカ１ｂから撮影中である旨を表わす音およびシャッタが切られたタイミングでシャッタが切られたことに対応する音が発生され、またモード切替レバ１３１の操作により再生モードが選択され、動画撮影モードで撮影された動画像を表わす動画像データに基づく画像が表示画面に再生表示されているときには、その再生表示されている動画像に対応付けて収録された音声がリアスピーカ１ｃから発生される。また、このデジタルカメラでは、撮影モード、再生モードいずれのモードにおいても、操作子群１３０が操作されたときに操作音などがリアスピーカから発生される。このフロントスピーカ１ｂ、リアスピーカ１ｃの選択はデジタルカメラ内部の後述するＣＰＵで行なわれ、撮影・再生モードに応じて操作音、セルフタイマ撮影で撮影中である旨を表わす音、記録用メモリに記録された音声データに基づく音声が、内部のＣＰＵにより選択されたフロントスピーカ１ｂ、リアスピーカ１ｃのいずれかから発生される。ただし、このデジタルカメラのマイクで音声の収録が行なわれている場合には、ハウリングなどのノイズが発生することを防止するため、カメラ内部で自動的にフロントスピーカ１ｂ、リアスピーカ１ｃとも音声の発生が禁止される。
【００２１】
図２はこのデジタルカメラ１の内部の構成を示す図である。
【００２２】
このデジタルカメラ１はメモリ（ＦＬＡＳＨＲＯＭ）１０１内に格納されたプログラムの処理手順にしたがって処理を行なうＣＰＵ１００に統括的に制御される。
【００２３】
まず、このデジタルカメラ１で撮影が行なわれたときの撮影データの流れを簡単に説明する。
【００２４】
このデジタルカメラ１では画像表示回路１２０の表示パネル１２１１をファインダ代わりに使用することができるようにスルー画像を図１に示す表示パネル１２１１に表示させている。このスルー画像を表示させるため、フレーミングが変わる度にモータドライバにより撮影レンズ１０の中のフォーカスレンズを合焦点に移動させ、フレーミングが変わっても焦点のあったスルー画像を常に画像表示回路１２０の表示パネル１２１１に表示させるようにしている。この焦点のあったスルー画像を見ながらシャッタチャンスにレリーズ操作が行なわれたら、ＣＰＵ１００は、固体撮像素子（ここではＣＣＤ固体撮像素子、以下ＣＣＤという）１１０にレリーズ操作時の画像を結像させるため、タイミングジェネレータ１１１からタイミング信号を供給させる。このタイミング信号はＣＣＤ１１０に露光開始および露光終了を告げるものでありいわゆるシャッタスピードに相当する。ＣＰＵ１００はこの露光終了時にＣＣＤ１１０から画像データ（ＲＧＢの光の３原色Ｒ，Ｇ、Ｂからなる）を出力させ、後段のＣＤＳＡＭＰ１１２に供給させる。そうしたらＣＤＳＡＭＰ１１２でそのＣＣＤ１１０から出力された画像データの雑音が低減され、その雑音が低減された画像データがＡ／Ｄ変換部１１３でデジタル信号に変換される。このＡ／Ｄ変換部１１３でデジタル信号に変換されたＲＧＢからなる画像データは、後段の画像データ入力コントローラ１１４によりバス１１５を介してＳＤＲＡＭ１１６に供給され、このＳＤＲＡＭ１１６にＣＣＤ１１０のすべての画素の画像データが記憶される。すべての画素データに対応する画像データがＳＤＲＡＭ１１６に記憶されたら、ＣＰＵ１００が画像信号処理回路１１７の画像処理プロセスを起動させ、その画像処理プロセスによってＳＤＲＡＭ１１６の画像データを読み出させ、ＹＣ信号への変換を行なわせる。さらにこの画像処理回路１１７の画像処理プロセスが終了したことをＣＰＵ１００が検知したら、ＣＰＵ１００は圧縮処理部１１８のＪＰＥＧプロセスを起動させ、ＪＰＥＧプロセスによって画像データの圧縮を行なわせる。この圧縮処理回路１１８での圧縮が完了したことをＣＰＵ１００が検知したら、次に記録処理プロセスを起動させ、ＪＰＥＧ圧縮された画像データをメモリコントローラ１１９により記録用メモリ１１９１に記録させる。
【００２５】
また、動画像撮影モードで撮影が行なわれたら、動画像を表わす動画像データとともにマイク（図示せず）により収録された音声を表わす音声データが動画像データに対応付けられて記録用メモリ１１９１に記録される。
【００２６】
その後撮影・再生モード切替レバー１３１が再生モード側に切り替えられ、記録用メモリ１１９１に記録された画像データに基づく画像が表示パネル１２１１に再生表示され、動画像データの場合には動画像データに基づく動画像とともに表示パネル１２１１の脇にあるリアスピーカ１ｃから音声データに基づく音声がＣＰＵ１００からの指示に応じて音声制御回路１４０の制御の基に出力される。
【００２７】
また、図２に示す計時回路１５０はセルフタイマ撮影時に日付を表示するためのもので、撮影モード切替スイッチ１１でセルフタイマ撮影モードが選択され、セルフタイマー撮影が行なわれているときには、その計時回路１５０の計時に基づいてＣＰＵ１００はセルフタイマ撮影が開始されたら、音声制御回路１４０に例えば５秒のセルフタイマ秒をカウントしていることを伝え、音声制御回路１４０はそのカウントに応じてフロントスピーカ１ｂから撮影中である旨を表わす音を発生する。さらに、ＣＰＵ１００は５秒のセルフタイマ秒になったらタイミングジェネレータ１１１に露光開始指示を与えるとともに、この露光開始指示をシャッタが切られたことにして音声制御回路１４０にこのシャッタが切られたことに対応する音を発生させる。この音声制御回路１４０が本発明にいう音発生手段に相当し、本発明にいうスピーカ選択手段がＣＰＵ１００に相当する。
【００２８】
このスピーカ選択手段に相当するＣＰＵ１００は、撮影モード切替スイッチ１１によりセルフタイマモードが選択されたら、音声制御回路１４０に指令を出し、撮影レンズ側のフロントスピーカ１ｂからの音声発生を許可するとともに、背面側のリアスピーカ１ｃの動作を禁止する。
【００２９】
図３は撮影モード時にＣＰＵ１００が行なうフロントスピーカ１ｂ、リアスピーカ１ｃの選択の処理手順を示すフローチャートである。
【００３０】
ステップＳ３０１で音声出力許可を判定する。これは、フロントスピーカ１ｂ、リアスピーカ１ｃの選択および音声の発生の禁止をＣＰＵ１００が制御しているからであり、例えば動画撮影モードで動画を撮影している場合などには、フロントスピーカ１ｂ、リアスピーカ１ｃからの音声の発生が禁止されてしまうことがあるからである。そこでセルフタイマ撮影が行なわれるときに、フロントスピーカからの音声出力が許可されているかどうかをこのステップＳ３０１で判定している。フロント、リアのスピーカとも音声出力が許可されていない場合には、音声を出力することができない状況（例えば動画像撮影モードで撮影中）である場合もあるのでこのフローの処理を終える。
【００３１】
ここで音声出力許可が許可されていたら、Ｙｅｓ側に進んで、ステップＳ３０２でセルフタイマー撮影モードであるか、通常の撮影モードであるかをさらに判定する。ここでは再生モードの判定を行なってはいないが、再生モードが判定の中にあっても良い。いずれにしてもＣＰＵ１００は、フロントスピーカ１ｂ、リアスピーカ１ｃの音声の発生が許可されているかどうかを判定し、さらに音声出力が許可され、撮影モードの中のセルフタイマモード撮影が選択されているとステップＳ３０２で判定したら、セルフタイマ撮影側に進んで、音声制御回路１４０にフロントスピーカ１ｂを選択するように指示して音声制御回路１４０にフロントスピーカ１ｂから撮影中である旨を表わす音を発生させることを許可し、リアスピーカからの音声の発生を禁止する。
【００３２】
そしてセルフタイマ撮影モードでレリーズ操作が行なわれたら、フロントスピーカから撮影中である旨を表わす音、さらにシャッタが切れたことに対応する音を音声制御回路に順次発生させる。
【００３３】
ステップＳ３０２で通常撮影モードが選択されていた場合には、通常撮影側に進みステップＳ３０４でカメラボディ背面のリアスピーカを選択する指示を音声制御回路１４０に出し、音声制御回路１４０にリアスピーカ１ｃからの音声の発生を許可し、フロントスピーカからの音声の発生を禁止する。このときには操作子群のいずれかが操作されたことに応じて操作音などをリアスピーカ１ｃから発生させる。
【００３４】
また、再生モードに切り替えられ、動画像データに基づく画像が表示される場合には、ＬＣＤの脇にあるリアスピーカから、動画像データに対応づけて記録された音声データに基づく音声が発生される。
【００３５】
このようにセルフタイマ撮影時に撮影レンズと同一面に配備され、カメラ前面に向いたスピーカ１ｂから撮影中である旨を表わす音、シャッタが切られたことに対応する音を順次発生させることで撮影者にそれらの音を確実に聞き取らせることができる。また、スピーカは小型のものであってそのスピーカから発生される音の制御を行なう音声制御回路を付加するだけで良く、いままでのように回転機構を設ける訳ではないので小型化が実現される。さらに小型のスピーカは安価なものであって、音声制御回路に選択手段を設けることは容易であるので、デジタルカメラ全体の低廉化を図ることもできる。
【００３６】
以上説明したように、小型かつ低廉であって、セルフタイマ撮影時に撮影中である旨を表わす音とシャッタが切られたことに対応する音とを撮影者に確実に聞かせることができるデジタルカメラを提供することができる。
【００３７】
なお、本実施形態では２つのスピーカを、カメラボディの前面側と背面側に配置したが、本発明はこれによらず、カメラ前面に２つ以上、背面に２つ以上のスピーカを設けても良い。それらをそれぞれ再生モード用、警告音発生用、セルフタイマモード撮影用としても良く、さらに再生モード用を背面側、セルフタイマ撮影用を前面側、警告音発生用を前面、背面に適宜配置するようなものであっても良い。このように、複数スピーカを設けた場合には、複数のスピーカのうち、少なくとも１つを選択するように音声制御回路の構成を変更すれば良く、この変更は容易である。
【００３８】
また、本実施形態ではデジタルカメラを例に挙げたが、コンパクトカメラ、ハイブリッドカメラにおいても本発明の技術は適用可能である。
【図面の簡単な説明】
【００３９】
【図１】本発明の実施形態であるデジタルカメラの外観図である。
【図２】このデジタルカメラ１の内部の構成を示す図である。
【図３】スピーカを選択する処理の手順を示すフローチャートである。
【符号の説明】
【００４０】
１    デジタルカメラ
１ａ    カメラボディ
１ｂ    フロントスピーカ
１ｃ    リアスピーカ
１０    撮影レンズ
１１    モード切替スイッチ
１２    レリーズ釦
１１０    ＣＣＤ
１１１    タイミングジェネレータ
１１２    ＣＤＳＡＭＰ
１１３    Ａ／Ｄ変換部
１１４    画像入力コントローラ
１１５    バス
１１６    メモリ（ＳＤＲＡＭ）
１１７    画像信号処理回路
１１８    圧縮処理回路
１１９    メモリコントローラ
１１９１    記録用メモリ
１３０    操作子群
【図１】
2005062539.tif 000003
【図２】
2005062539.tif 000004
【図３】
2005062539.tif 000005